(57)【要約】【課題】  本発明はパルプモウルド等によるトレーを用い、その上に薄いフラットシートを突起部材で押圧するのみで上下層を簡便に貼着により製造し、かつ薄く柔軟で柔らかい果実の形に順応し易いパルプモウルド等との複合トレーを簡便に得ることを目的とする。【解決手段】  果実類収容定形凹部１を縦横に整然と成形してなるトレーの上面に柔軟薄シート３を重ね、上記定形凹部１に対応する下向凸部４を有する突起部材５により、上記薄シート３を圧下し、圧下した上記シート３の下面と上記定形凹部１の底面との間に空間ｓを介在させ、その状態で上記定形凹部１，１間の境界上向突部６と、これに接する上記シート３とを一体に貼着７し各定形凹部１内に上記シート３による不定形柔軟凹部３’を形成してなる果実収容トレー。【選択図】図１
2008081195.tif 000002
【特許請求の範囲】
【請求項１】
果実類収容定形凹部を縦横に整然と成形してなるトレーの上面に平面状の柔軟薄シートを宛がい、
上記定形凹部に対応する下向凸部を有する突起部材を以って上記薄シートを圧下することにより、圧下した上記シートの下面と上記定形凹部の底面との間に空間部を形成し、
その状態で上記トレーの定形凹部間の境界上向突部と、これに接する上記シートとを両者の接触部分において貼着することにより、各定形凹部内に上記シートによる不定形柔軟凹部を形成してなる果実収容トレー。
【請求項２】
上記薄シートが合成樹脂製フィルム又は不織布である請求項１記載の果実収容トレー。
【請求項３】
上記薄シートの外縁を上記トレーの外縁から該トレーの下面に折返し、折返し部を上記トレーの下面に貼着した請求項１又は２に記載の果実収容トレー。
【発明の詳細な説明】
【技術分野】
【０００１】
本発明はいちご等の比較的損傷し易い果実を安全に搬送するための果実収容トレーに関するものである。
【背景技術】
【０００２】
従来、ぶどう、いちご又はさくらんぼ等の果実を紙製の函体内に収容するに当り、上記果実を函体内にフィルムシートでハンモック状に吊り下げることによって硬い函体に上記果実が衝接しないようにし、果実に擦過傷を与えないように保護した（例えば特許文献１）。
【０００３】
又防水性樹脂層上に連通気泡構造のポリウレタンホーム層を設けた２層トレー体に複数個の収納凹部を設け、これらの凹部では上記ポリウレタンホーム層を若干浮き上がらせて両層間に空間を介在し、ポリウレタンホーム層上に支持した果実（桃）の傷つきを無くした（例えば特許文献２）。
【０００４】
又トレーの凹部内に宙吊り状に果実を収容し、収容果実を保護した（例えば特許文献３、４、５）。
【０００５】
ところが上記従来の技術では、収容凹部を有する硬いトレーと、該凹部に空間を介して重ねる柔軟な上層トレーとの２重構造よりなり、上下層トレーにそれぞれ単独の金型を必要とし、成形後上下層トレーを重合するものであって、ポリウレタンホームやポリスチレンホーム等の高分子材料を必要とし、製造工程が２系列に亘り、複雑化し、安価に供給し難いという問題があった。
【０００６】
【特許文献１】特開２００１−１４６２６４号
【特許文献２】実開平３−５３４１７号
【特許文献３】実開昭６１−７４５１４号
【特許文献４】実開昭６３−１５４４１１号
【特許文献５】特開昭６２−２２９０６号
【発明の開示】
【発明が解決しようとする課題】
【０００７】
本発明はパルプモウルド等によるトレーを用い、その上に薄い平面状シートを重ね押型で押圧するのみで上下層を簡便に貼着により製造し、かつ薄く柔軟で柔らかい果実の形に順応し易いパルプモウルド等との複合トレーを簡便に得ることを目的とする。
【課題を解決するための手段】
【０００８】
上記の目的を達成するため本発明は
第１に、果実類収容定形凹部を縦横に整然と成形してなるトレーの上面に平面状の柔軟薄シートを宛がい、上記定形凹部に対応する下向凸部を有する突起部材を以って上記薄シートを圧下することにより、圧下した上記シートの下面と上記定形凹部の底面との間に空間部を形成し、その状態で上記トレーの定形凹部間の境界上向突部と、これに接する上記シートとを両者の接触部分において貼着することにより、各定形凹部内に上記シートによる不定形柔軟凹部を形成してなる果実収容トレーにより構成される。
【０００９】
第２に、上記薄シートが合成樹脂製フィルム又は不織布である上記第１記載の果実収容トレーにより構成される。
【００１０】
第３に、上記薄シートの外縁を上記トレーの外縁から該トレーの下面に折返し、折返し部を上記トレーの下面に貼着した上記第１又は２に記載の果実収容トレーにより構成される。
【００１１】
従って、硬い上記パルプモウルドの上面に平たい柔軟薄シートを平坦に重ねパルプモウルドの整然並列複数の凹部に向って突起部材を下降し、パルプモウルドの定形凹部と突起部材との間に空間を介在し、その状態でパルプモウルドトレーの隣接凹部間の境界上向突部と上記薄シートの裏面とを予め塗布した接着剤や粘着剤、或は熱溶着等の手段を以って該シートと上記パルプモウルドトレーを貼着する。
【００１２】
薄シートの外縁はパルプモウルドトレーの外縁から下面に折畳み、該下面に貼着する。
【発明の効果】
【００１３】
本発明は上述のように構成したので、柔軟薄シートによっていちごその他傷つき易い果実であってもシートといちごとが凹部において擦れるおそれがなく安全に包装・輸送を行い得る。
【００１４】
また、直接果実を支持する上記柔軟薄シートを別系統で成型加工する必要がなく、パルプモウルド等のトレー上に平担に配置した状態でスタンプ圧下により容易に上記トレーに貼着し得る効果がある。
【発明を実施するための最良の形態】
【００１５】
横３列、縦４列に凹設した１２個の果実類収容定形凹部１を整然と形成したパルプモウルドによる長方形乾燥トレー２を形成する（図２、図３）。
【００１６】
上記凹部１は図３（イ）に示すように平面卵形であっていちごを各凹部１に収容することになる。
【００１７】
製造に際しては上記トレーの上部に柔軟な薄シート３を宛がう（図２、図４）。この薄シートは、合成樹脂フィルム又は不織布等が適しているが、合成樹脂フィルムの場合は、通気性のあるポリエチレンフィルム、ウレタンフィルム等が好ましい。
【００１８】
又図５以下に示すように長方形トレー２の底板に境界上面突部６を並設することによって横３列、縦４列に果実類収容定形凹部１を整然と形成したパルプモウルドによる長方形乾燥トレー２を形成する（図５、図６、図７、図８）。
【００１９】
これらのトレー２はパルプモウルドに代えて、硬化合成樹脂や発泡ポリウレタン又は発泡スチレン等でも可能であるが、通気性がある点でパルプモウルドが好ましい。上記トレー２の上面に柔軟な薄いシート３を載置する。図２、図４（イ）、図８（イ）、図９（イ）にその状態を示す。
【００２０】
その後、図９（ロ）に示すように下向凸部４を有する型（突起部材）５を上記定型凹部１内に下降挿入する。
【００２１】
その状態では定型凹部１，１の隣接境界突部６の上面に予め塗布した接着剤又は粘着剤に上記薄いシート３の裏面が上記型５に形成した下向小突起４’によって圧着して上記境界上面突部６の上面に上記薄シート３の裏面が接着又は粘着により貼着し、かつ図９（ロ）、図４（ロ）に示すように定型凹部１に対応する下向凸部４よりなる型５が定型凹部１内に進入し、下向凸部４の下面の上記シート３と上記定型凹部１の底面との間に空間ｓを介在させる。尚、上記薄シート３と上記境界上面突部６は、熱溶着により接着しても良い。図１において、薄シート３とトレーとの接着部分を符号７で示す。
【００２２】
このように定型凹部１内に上記型５によって圧入した上記薄シート３には皺３”ができ、収容いちご等の果実８の形に順応して該果実８を保持することができる。
【００２３】
上記薄シート３の外縁は図１、図５及び図４（ロ）に示すように上記トレー２の外縁から該トレー２の下面に折返し、折返し部３ａを該トレー２の下面に接着剤又は粘着剤等で一体に点状に貼着する（図１、図４（ロ）、図５）。
【００２４】
本発明の果実収容トレーは、上述のように、薄シート３とトレーの境界上面突部６とは点状に狭い範囲で接着しているのみである。即ち、図１、図５に示すように、薄シート３とトレー２は、境界上面突部６において点状に接着されているのみであるから、薄シート３は定型凹部１間の境界壁の部分においては、トレー２と何等接着されていない。このため、薄シート３は、定型凹部１及び境界壁上において柔軟に動くことができ、これにより、薄シート３が収容果実の形に良くフィットすることができ、収容果実の形状によらず、安全に果実を搬送することができる。
【００２５】
尚、上記果実収容トレー２は、パルプモウルド製が好ましい。これは、通気性の点で優れているからであり、上記薄シート３としての通気性のあるフィルムを用いることにより、トレー全体として通気性を損なうことなく運搬し得る果実収容トレーを実現し得る。
【産業上の利用可能性】
【００２６】
本発明では図１、図５に示すように上記トレー２の上面を柔軟シート３で被覆し、かつ皺３”を生じて上記定形凹部１を上記空間ｓを介して果実８を該凹部１内に振動の影響を受けることなく垂下状に支持し得て安全輸送を行い得るばかりでなく、上記柔軟薄シート３に予め成型加工を施す必要がなく容易に製造し得るものである。
【図面の簡単な説明】
【００２７】
【図１】本発明の果実収容トレーを示す斜視図である。
【図２】柔軟薄シート及びトレーとを示す斜視図である。
【図３】（イ）は上記トレーの実施例の平面図、（ロ）は（イ）Ａ−Ａ線による縦断正面図、（ハ）は（イ）Ｂ−Ｂ線による縦断側面図、（ニ）は（イ）Ｃ−Ｃ線による縦断面図である。
【図４】（イ）は上記トレーと柔軟薄シートとを示す縦断面図、（ロ）は上記トレーと上記シート及び空間を示す縦断面図である。
【図５】図１の他の実施例を示す斜視図である。
【図６】図２の他の実施例を示す斜視図である。
【図７】図３（イ）の他の実施例を示す平面図である。
【図８】（イ）は上記薄シート及び図７Ｄ−Ｄ線によるトレーの縦断面図、（ロ）は上記シートを上記トレーの定形凹部内に空間を介して押入した状態の縦断面図である。
【図９】（イ）は上記薄シート用押型及び上記トレーの受型の縦断面図、（ロ）は上記押型下降状態の縦断面図である。
【符号の説明】
【００２８】
１      果実類収容型凹部
２      トレー
３      柔軟薄シート
３’    不定形柔軟凹部
４      下向凸部
４’    下向小突起
５      型
ｓ      空間
６      境界上面突部
７      貼着部
【図１】
2008081195.tif 000003
【図２】
2008081195.tif 000004
【図３】
2008081195.tif 000005
【図４】
2008081195.tif 000006
【図５】
2008081195.tif 000007
【図６】
2008081195.tif 000008
【図７】
2008081195.tif 000009
【図８】
2008081195.tif 000010
【図９】
2008081195.tif 000011